(57)【特許請求の範囲】
【請求項１】
バネ鋼等の長尺の薄帯板の素材を使用して、これを船底形断面を持つように変形し、且その船底中央部に連続した等ピッチの矩形孔（７）を穿孔した後、熱処理して弾性をもつように製作した船底形薄肉部材（５）の先端（８）を船底形薄肉部材収納室（２）の入口（４）より差込み、この船底形薄肉部材（５）の矩形孔（７）を収納室（２）内の歯車（１０）に噛合せながら、この歯車（１０）の周りに沿うて収納室（２）の奥深くまで進ませると船底形薄肉部材（５）は奥部の円形内壁（３）に接することによりその船底形断面はほぼ扁平になって内側へと渦巻状に巻込まれ、そして収納室（２）は幾層にも巻きこまれた船底形薄肉部材（５）で充満する、この船底形薄肉部材（５）を組み込んだ積雪排除装置本体（１）を建物屋根（２０）の尾根近辺に数組設置して、各々の歯車（１０）を駆動軸（１２）により連結して一台の減速機付モーター（１４）で駆動しうるよう組立て、又各々の船底形薄肉部材（５）を末端連結部品（９）によりを積雪排除板（１５）に固定して一体化しておき、そして屋根上に厚く積雪（２１）が盛上った時、減速機付モーター（１４）を駆動して歯車（１０）に噛合わされた船底形薄肉部材（５）を収納室（２）内より真直ぐな状態で押出す、この時その弾性をもつ船底形薄肉部材（５）の形状は断面係数の大きい船底形断面に復元することにより突張りに対する剛性を回復させている、この押出された数組の船底形薄肉部材（５）の末端には積雪排除板（１５）は取付けられているため積雪排除板（１５）は屋根勾配の全長にわたり積雪（２１）を力強く押し除けることが可能になるようにした建物屋根上の積雪排除装置の構造。
【請求項２】
請求項１に記載の積雪排除装置の構造において長尺の船底形薄肉部材（５）の両肩部及び底面を案内する溝型内壁をもつガイドレール（１６）を屋根の傾斜方向に建物屋根（２０）上にコンクリート等により設置して、積雪排除時における船底形薄肉部材（５）の軸方向の負荷による座屈に対する強度を増加させるようにした積雪排除装置の構造。
【請求項３】
請求項１に記載の積雪排除装置の構造においてその上部連絡用桁（１７）に沿うて長尺の管（１８）を設置し、これに設けた多数の細孔（１９）より熱水、常温水又は熱風を噴出させて、屋根（２０）上面の積雪（２１）の底に送り込み、それを溶融させて積雪排除を助勢するようにした積雪排除装置の構造。
【発明の詳細な説明】
【技術分野】
【０００１】  本発明は建物屋根上の積雪を排除しようとする方法に用いる装置の構造に関するものである。
【背景技術】
【０００２】  建物屋根上の積雪を排除しようとする方法は、屋根の広い面積における確実な排除能力と、長年月の耐久性をもち、且つ一般民家に使用されるのための経済的な方法は未だ実施されていない。
【発明の開示】
【発明が解決しようとする課題】
【０００３】  広い屋根のほぼ全面積の積雪を排除するために図６及び図７に示すようにナット２３を取付けた積雪排除板１５をこれに噛合う角ねじ棒２２の回転により積雪２１を押し下げる方法は通常考えられるが、この方法は角ねじ棒２２の全長にわたり掩蓋２８を施しても猶積雪排除板１５の取付部の周辺の密封は難しく雨及びそのしぶきの侵入は避け難い、そのための角ねじ棒２２は高価なメッキ加工を必要とし、又この角ねじ棒２２の機械加工賃は高価であって、経済的負担が重く一般家屋用としては実施困難である。
又、油圧シリンダーにより積雪排除板１５を押下げる方法があるが、この方法では屋根２０の全勾配にわたる積雪２１を排除することは出来ない、これは屋根上に載せた油圧シリンダーの長さだけ排除板１５の移動範囲が縮められるためである。
本発明は以上の欠点を除き、雨等に対し耐久性が高く、且つ比較的簡単な構造により確実に積雪を排除しようとするものである。
【課題を解決するための手段】
【０００４】  本発明は上記性能を達成するためにバネ鋼等の長尺の薄帯板の素材を使用して、これを船底形断面を持つように変形し、且その船底中央部に連続した等ピッチの矩形孔７を穿孔した後、熱処理して弾性をもつように製作した船底形薄肉部材５の先端８を船底形薄肉部材収納室２の入口４より差込み、この船底形薄肉部材５の短形孔７を収納室２内の歯車１０に噛合せながら、この歯車１０の周りに沿うて収納室２の奥深くまで進ませると船底形薄肉部材５は奥部の円形内壁３に接することによりその船底形断面はほぼ扁平になって内側へと渦巻状に巻込まれ、そして収納室２は幾層にも巻きこまれた船底形薄肉部材５で充満する。【０００５】  この船底形薄肉部材５を組み込んだ積雪排除装置本体１を建物屋根２０の尾根近辺に数組設置して、各々の歯車１０を駆動軸１２により連結して一台の減速機付モーター１４で駆動しうるよう組立て、又各々の船底形薄肉部材５を末端連結部品９により積雪排除板１５に固定して一体化しておき、そして屋根上に厚く積雪２１が盛上った時、減速機付モーター１４を駆動して歯車１０に噛合わされた船底形薄肉部材５を収納室２内より真直ぐな状態で押出す。【０００６】  この時その弾性をもつ船底形薄肉部材５の形状は断面係数の大きい船底形断面に復元することにより突張りに対する剛性を回復させている、この押出された数組の船底形薄肉部材５の末端９には積雪排除板１５は取付けられているため積雪除板１５は屋根勾配の全長にわたり積雪２１を力強く押し除けることが可能になる。【０００７】  上記の積雪排除装置に追加して船底形薄肉部材５の両肩部及び底面を案内する軽量溝型鋼材類似の形状を持つガイドレール１６を屋根の傾斜方向に建物屋根２０上にコンクリート等により設置して、積雪排除時における船底形薄肉部材５の軸方向の負荷による座屈に対する強度を増加させる。【０００８】図３及び図４に示すように積雪排除装置本体に取付けた上部連結用桁１７に沿うて長尺の管１８を設置し、これに設けた多数の細孔１９より熱水、常温水又は熱風をポンプ又はブロアーの圧力により噴出させて、屋根２０上面に流出させて、その上の積雪２１の底に送り込み、積雪の底部を溶融させて積雪排除板１５によって容易に積雪を押し除きできるようにする。
【発明の効果】
【０００９】  本発明の実施により過大な経済的負担なく確実に積雪を排除できるので広く一般の民家にも採用可能である、又この構造は積雪の排除以外にも搬送物を長距離押し出し移動する搬送装置にも利用できる。
【図面の簡単な説明】
【００１０】
【図１】本発明の建物屋根上の積雪排除装置の一例を示す正面断面図
【図２】図１の平面図
【図３】図１の正面拡大図
【図４】図３のＡ−Ａ断面図
【図５】図３の側面図
【図６】通常考えられる建物屋根上の積雪排除装置の一例を示す正面図
【図７】図６の平面図
【発明を実施するための形態】
【００１１】  バネ鋼等の長尺の薄帯板の素材を使用して、これを船底形断面を持つように変形し、且その船底中央部に連続した等ピッチの矩形孔７を穿孔した後、熱処理して弾性をもつように製作した船底形薄肉部材５の先端８を船底形薄肉部材収納室２の入口４より差込み、この船底形薄肉部材５の矩形孔７を収納室２内の歯車１０に噛合せながら、この歯車１０の周りに沿うて収納室２の奥深くまで進ませると船底形薄肉部材５は奥部の円形内壁３に接することによりその船底形断面はほぼ扁平になって内側へと渦巻状に巻込まれる、そして収納室２は幾層にも巻きこまれた船底形薄肉部材５で充満する
【００１２】  この船底形薄肉部材５を組み込んだ積雪排除装置本体１を建物屋根２０の尾根近辺に数組設置して、各々の歯車１０を駆動軸１２により連結して一台の減速機付モーター１４で駆動しうるよう組立て、又各々の船底形薄肉部材５を末端連結部品９により積雪除板１５に固定して一体化しておき、そして屋根上に厚く積雪２１が盛上った時、減速機付モーター１４を駆動して歯車１０に噛合わされた船底形薄肉部材５を収納室２内より真直ぐな状態で押出す。
【００１３】  この時その弾性をもつ船底形薄肉部材５の形状は断面係数の大きい船底形断面に復元することにより突張りに対する剛性を回復させている、この押出された数組の船底形薄肉部材５の末端連結部品９には積雪排除板１５は取付けられているため積雪排除板１５は屋根勾配の全長にわたり積雪２１を力強く押し除けるようにすることが可能になる。
【００１４】  又、積雪排除装置に追加して船底形薄肉部材５の両肩部及び底面を案内する長尺の溝型内壁をもつガイドレール１６を屋根の傾斜方向に建物屋根２０上にコンクリート等により設置して、積雪排除時における船底形薄肉部材５の軸方向の負荷による座屈に対する強度を増加させるようにする。
【００１５】  最初積雪排除板１５が屋根附近に引上げられているときは、船底形薄肉部材５は収納室奥部の円形内壁３に巻込まれ、奥深く収納されているため、雨、しぶき等にさらされることなく、熱硬化性樹脂の被覆によって耐久性は係持される。又歯車１０に噛み合うために船底形薄肉部材５に設けられている矩形孔７は連続して打抜加工した後、船底形の断面形状に変形した後、熱処理により弾性を保持させるため、切削作業を必要とせず積雪排除装置全体は安く製作することが出来る。
【符号の説明】
【００１６】  １・・・積雪排除装置本体                  ２・・・薄肉板収納室
３・・・収納室奥部の円形内壁              ４・・・収納室の入口
５・・・船底形薄肉部材                    ６・・・船底形薄肉部材の船底中央部
７・・・船底形薄肉部材の矩形孔            ８・・・船底形薄肉部材の先端
９・・・末端連結部品                    １０・・・歯車
１１・・・歯車の軸受                      １２・・・歯車の駆動軸
１３・・・軸継手                          １４・・・減速機付モーター
１５・・・積雪排除板                      １６・・・ガイドレール
１７・・・積雪排除装置本体の上部連結用桁  １８・・・長尺の管
１９・・・管の細孔                        ２０・・・建物屋根
２１・・・積雪                            ２２・・・角ねじ棒
２３・・・ナット                          ２４・・・角ねじ棒用歯車
２５・・・減速機用歯車                    ２６・・・モーター
２７・・・角ねじ棒支持部                  ２８・・・掩蓋
【要約】
【課題】  建物屋根上の積雪を排除する方法として屋根の全面積の積雪を確実に排除し、且雨水等に対し長期間の耐久性をもち、そして一般家庭用として採用しうる経済性をもつ積雪排除装置が求められている。
【解決手段】  長尺の船底形薄肉部材５を収納室２内に渦巻状に巻込み収納した後、積雪排除装置本体１を建物屋根２０の尾根近辺に数組設置して、各々の歯車１０を駆動軸１２により連結して一台の減速機付モーター１４で駆動しうるように組立て、又各々の船底形薄肉部材５の末端９を一枚の積雪排除板１５に固定しておき、そして屋根上に厚く積雪２１が盛上った時、減速機付モーター１４を駆動して歯車１０に噛合わされた船底形薄肉部材５を収納室２より真直ぐな状態で押出し、これに取付けられている積雪排除板１５により屋根勾配全長にわたり積雪２１を排除しうるようにした積雪排除装置の構造。
【選択図】図３【図１】
0005190743.tif 000002
【図２】
0005190743.tif 000003
【図３】
0005190743.tif 000004
【図４】
0005190743.tif 000005
【図５】
0005190743.tif 000006
【図６】
0005190743.tif 000007
【図７】
0005190743.tif 000008